(57)【要約】【課題】トップシートの折り返し部の起立性を維持し、体液の横漏れを抑制できる吸収性物品を提供する。【解決手段】吸収性物品１は、吸収体３０、吸収体の肌対向面側に配置されたトップシート１０、吸収体の非肌対向面側に配置されたバックシート２０を有し、吸収性物品の肌対向面同士が対向するように吸収性物品を折り畳むための第１折り線ＦＬ１及び第２折り線ＦＬ２が長手方向に沿って形成されている。トップシートは、幅方向の両側において、折り返し線１２によって折り返された折り返し部１１を有する。股下域Ｓ１において、第１折り線及び第２折り線は、折り返し線よりも幅方向の内側に位置する。折り返し部とバックシートとが接合された第１接合部６１を有する。第１接合部は、股下域において、折り返し線よりも幅方向の内側に位置している。【選択図】図１
2018000301.tif 000002
【特許請求の範囲】
【請求項１】
長手方向、幅方向及び厚さ方向と、
吸収体と、
前記吸収体の肌対向面側に配置されたトップシートと、
前記吸収体の非肌対向面側に配置されたバックシートと、
前記長手方向における股下域に設けられたウイングと、を有し、
吸収性物品の肌対向面同士が対向するように吸収性物品を折り畳むための第１折り線及び第２折り線が前記長手方向に沿って形成された吸収性物品であって、
前記トップシートは、前記幅方向の両側において、折り返し線によって折り返された折り返し部を有し、
前記股下域において、前記第１折り線及び前記第２折り線は、前記折り返し線よりも前記幅方向の内側に位置し、
前記折り返し部と前記バックシートとが接合された接合部を有し、
前記接合部は、前記股下域において、前記折り返し線よりも前記幅方向の内側に位置している、吸収性物品。
【請求項２】
前記接合部は、前記股下域において、前記第１折り線及び前記第２折り線よりも前記幅方向の内側に位置している、請求項１に記載の吸収性物品。
【請求項３】
前記第１折り線及び前記第２折り線は、前記吸収体の外側縁よりも前記幅方向の内側に位置する、請求項１又は請求項２に記載の吸収性物品。
【請求項４】
前記吸収体は、第１層と、前記厚さ方向において前記第１層に重なり、かつ前記第１層よりも目付の低い第２層と、を有し、
前記第１折り線及び前記第２折り線は、前記第１層及び前記第２層のうち前記第２層のみに形成されている、請求項３に記載の吸収性物品。
【請求項５】
前記接合部は、前記股下域よりも前側に位置する前側域及び前記股下域よりも後側に位置する後側域において、前記第１折り線及び前記第２折り線よりも前記幅方向の外側に位置する、請求項１から請求項４のいずれかに記載の吸収性物品。
【発明の詳細な説明】
【技術分野】
【０００１】
本発明は、生理用ナプキン等の吸収性物品に関する。
【背景技術】
【０００２】
特許文献１は、トップシートが幅方向の両側において折り返された折り返し部を有する吸収性物品を開示している。特許文献１の吸収性物品は、吸収体の外側縁を着用者側に持ち上げるギャザーフラップを有している。吸収体の外側縁及びトップシートの折り返し部は、使用時に着用者側に持ち上げられている（特許文献１の図５参照）。吸収体の外側縁及びトップシートの折り返し部が着用者側に立ち上がることにより、体液の横漏れを抑制する。
【先行技術文献】
【特許文献】
【０００３】
【特許文献１】特開２００１−７０３４３号公報
【発明の概要】
【発明が解決しようとする課題】
【０００４】
特許文献１の吸収性物品のようにウイングを有する吸収性物品は、使用時にウイングが下着の非肌対向面側に折り返される。このとき、吸収体の外側縁及びトップシートの折り返し部がウイングと共に非肌対向面側に引っ張られる。トップシートの折り返し部は、非肌対向面側に引っ張られることにより、着用者側に立ち上がった状態を維持できないことがある。よって、体液の横漏れを抑制できないことがあった。
【０００５】
本発明は、上述の課題に鑑みてなされたものであり、トップシートの折り返し部の起立性を維持し、体液の横漏れを抑制できる吸収性物品を提供することを目的とする。
【課題を解決するための手段】
【０００６】
本開示に係る吸収性物品（吸収性物品１）は、長手方向（長手方向Ｌ）、幅方向（幅方向Ｗ）及び厚さ方向（厚さ方向Ｔ）と、吸収体（吸収体３０）と、前記吸収体の肌対向面側に配置されたトップシート（トップシート１０）と、前記吸収体の非肌対向面側に配置されたバックシート（バックシート２０）と、前記長手方向における股下域に設けられたウイング（ウイング）と、を有し、吸収性物品の肌対向面同士が対向するように吸収性物品を折り畳むための第１折り線（第１折り線ＦＬ１）及び第２折り線（第２折り線ＦＬ２）前記長手方向に沿って形成された吸収性物品であって、前記トップシートは、前記幅方向の両側において、折り返し線（折り返し線１２）によって折り返された折り返し部（折り返し部１１）を有し、前記股下域において、前記第１折り線及び前記第２折り線は、前記折り返し線よりも前記幅方向の内側に位置し、前記折り返し部と前記バックシートとが接合された接合部（第１接合部６１）を有し、前記接合部は、前記股下域において、前記折り返し線よりも前記幅方向の内側に位置していることを要旨とする。
【発明の効果】
【０００７】
本発明に係る吸収性物品によれば、トップシートの折り返し部の起立性を維持し、体液の横漏れを抑制できる。
【図面の簡単な説明】
【０００８】
【図１】一実施形態における吸収性物品の平面図である。
【図２】図１に示すＡ−Ａ線に沿った吸収性物品の展開状態の断面図である。
【図３】図１に示す吸収性物品の折り畳み態様を説明するための図である。
【図４】図１に示すＡ−Ａ線に沿った吸収性物品の装着状態の断面図である。
【発明を実施するための形態】
【０００９】
本明細書及び添付図面の記載により、少なくとも以下の事項が明らかとなる。
長手方向、幅方向及び厚さ方向と、
吸収体と、
前記吸収体の肌対向面側に配置されたトップシートと、
前記吸収体の非肌対向面側に配置されたバックシートと、
前記長手方向における股下域に設けられたウイングと、を有し、
吸収性物品の肌対向面同士が対向するように吸収性物品を折り畳むための第１折り線及び第２折り線が前記長手方向に沿って形成された吸収性物品であって、
前記トップシートは、前記幅方向の両側において、折り返し線によって折り返された折り返し部を有し、
前記股下域において、前記第１折り線及び前記第２折り線は、前記折り返し線よりも前記幅方向の内側に位置し、
前記折り返し部と前記バックシートとが接合された接合部を有し、
前記接合部は、前記股下域において、前記折り返し線よりも前記幅方向の内側に位置している、吸収性物品。
【００１０】
トップシートの折り返し部には、長手方向に延びる第１折り線及び第２折り線による折り癖が形成される。第１折り線及び第２折り線は、吸収性物品の肌対向面同士が対向するように折り畳むための線であり、吸収性物品を展開した展開状態において、第１折り線及び第２折り線による折り癖は、着用者に対して谷折りの折り癖となる。折り返し線と接合部の間の領域は、折り返し部とバックシートとが接合されてなく、第１折り線及び第２折り線による折り癖によって折り返し部が着用者側に立ち上がる。当該折り返し部が起立することにより、体液の横漏れを抑制することができる。
【００１１】
また、このように構成された吸収性物品を下着に装着する際は、吸収性物品の幅方向の中央を下着の肌対向面に固定した状態で、ウイングを下着の非肌対向面側に引っ張って、当該ウイングを下着の非肌対向面に固定する。ウイングが下着の非肌対向面側に引っ張られると、接合部を介してトップシートの折り返し部も引っ張られる。このとき、折り返し線と接合部の間の領域は、バックシートに接合されていなく、ウイングが非肌対向面側に引っ張られた際にバックシート共に非肌対向面側に引っ張られず、起立性が維持される。よって、トップシートの折り返し部の起立性を維持し、体液の横漏れを抑制できる。
【００１２】
かかる吸収性物品であって、
前記接合部は、前記股下域において、前記第１折り線及び前記第２折り線よりも前記幅方向の内側に位置していることが望ましい。
【００１３】
このような吸収性物品によれば、第１折り線及び第２折り線よりも幅方向の外側の領域において、トップシートがバックシートから起立可能に構成されている。第１折り線及び第２折り線を基点としたトップシートの起立性を維持し、体液の横漏れを抑制できる。
【００１４】
かかる吸収性物品であって、
前記第１折り線及び前記第２折り線は、前記吸収体の外側縁よりも幅方向の内側に位置することが望ましい。
【００１５】
このような吸収性物品によれば、第１折り線及び第２折り線が吸収体に形成されることにより、第１折り線及び第２折り線による折り癖が強くなり、トップシートの折り返し部が立ち上がり易くなる。また、当該第１折り線及び第２折り線が形成された部分の剛性が高くなる。トップシートの折り返し部は、当該第１折り線及び第２折り線を変形基点として立ち上がる。立ち上がりの変形基点の剛性が高くなるため、トップシートの折り返し部の起立性をより維持し易くなり、体液の横漏れを抑制できる。
【００１６】
かかる吸収性物品であって、
前記吸収体は、第１層と、前記厚さ方向において前記第１層に重なり、かつ前記第１層よりも目付の低い第２層と、を有し、
前記第１折り線及び前記第２折り線は、前記第１層及び前記第２層のうち前記第２層のみに形成されていることが望ましい。
【００１７】
このような吸収性物品によれば、第２層のみに折り癖が形成され、目付が高い第１層に折り癖が形成されない。第１層及び第２層の両方に折り癖が形成される構成と比較して、当該折り癖によって吸収体が立ち上がり易くなり、トップシートの外側縁の起立性を維持できる。よって、トップシートの折り返し部による横漏れの抑制効果を得ることができる。
【００１８】
かかる吸収性物品であって、
前記接合部は、前記股下域よりも前側に位置する前側域及び前記股下域よりも後側に位置する後側域において、前記第１折り線及び前記第２折り線よりも前記幅方向の外側に位置することが望ましい。
【００１９】
このような吸収性物品によれば、ウイングが下着の非肌対向面側に引っ張られた際に、第１折り線及び第２折り線よりも幅方向の外側の領域は、第１折り線及び第２折り線を基点として変形し易く、バックシートを介して非肌対向面側に引っ張られ易い。股下域においては、接合部が第１折り線及び第２折り線よりも幅方向の内側に位置している。そのため、第１折り線及び第２折り線よりも幅方向の外側に位置する折り返し部は、バックシートと離間しており、装着時に非肌対向面側に引っ張られず、起立した状態を維持し易い。一方、前側域及び後側域においては、接合部が第１折り線及び第２折り線よりも幅方向Ｗの外側に位置し、第１折り線及び第２折り線よりも幅方向の外側に位置する折り返し部は、装着時に非肌対向面側に引っ張られ、起立した状態を維持せずに、倒れた状態に変形する。よって、装着状態の平面視において前側域及び後側域のトップシートの幅方向の長さが股下域のトップシートの幅方向の長さよりも長くなる。前側域及び後側域においてトップシートによって広い領域で体液を吸収でき、体液の横漏れを抑制できる。
【００２０】
＝＝＝本実施の形態に係る吸収性物品について＝＝＝
以下、図面を参照して、実施形態に係る吸収性物品について説明する。以下の実施形態では、吸収性物品の一例として使い捨ての生理用ナプキンについて説明する。
【００２１】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００２２】
（１）吸収性物品の全体概略構成
図１は、一実施形態における吸収性物品の平面図である。図２は、図１に示すＡ−Ａ線に沿った吸収性物品の断面図である。図２に示す断面図は、後述する第１折り線ＦＬ１及び第２折り線ＦＬ２にて吸収性物品１を折り畳んだ後に、吸収性物品１を展開した展開状態における平面図である。よって、図２に示す吸収性物品１には、第１折り線ＦＬ１及び第２折り線ＦＬ２による折り癖が形成されている。
【００２３】
吸収性物品１は、互いに直交する長手方向Ｌと幅方向Ｗを有し、かつ着用者の肌対向面側Ｔ１から非肌対向面側Ｔ２へ延びる厚さ方向Ｔを有する。肌対向面側Ｔ１は、使用時に、着用者の肌に面する側に相当する。非肌対向面側Ｔ２は、使用時に、肌対向面側Ｔ１とは反対側、すなわち着用者の肌とは反対に向けられる側に相当する。
【００２４】
吸収性物品１は、股下域Ｓ１、前側域Ｓ２及び後側域Ｓ３を有する。股下域Ｓ１は、着用者の排泄口、例えば膣口に対向する領域である。吸収性物品１が下着に装着されたときに、股下域Ｓ１は下着の股下部に配置され、着用者の両足の間に配置される領域である。前側域Ｓ２は、股下域Ｓ１よりも前側に位置する。前側域Ｓ２の前端縁は、吸収性物品１の前端縁を規定する。後側域Ｓ３は、股下域Ｓ１よりも後方に位置する。後側域Ｓ３の後端縁は吸収性物品１の後端縁を規定する。
【００２５】
吸収性物品１は、ウイング３及びヒップフラップ４を有する。ウイング３及びヒップフラップ４は、股下域Ｓ１における吸収体３０の外側縁よりも幅方向Ｗの外側に延出している。ウイング３は、股下域Ｓ１に設けられている。ウイング３の前端縁は、ウイング３の付け根によって規定されており、最も幅方向Ｗの内側に窪んだ２つの部分のうち、前側に位置する部分に相当する。ウイング３の前端縁は、股下域Ｓ１と前側域Ｓ２との境界を規定する。ウイング３の後端縁は、ウイング３の付け根によって規定されており、最も幅方向Ｗの内側に窪んだ２つの部分のうち、後側に位置する部分に相当する。ウイング３の後端縁は、股下域Ｓ１と後側域Ｓ３との境界を規定する。ヒップフラップ４は、後側域Ｓ３に設けられている。
【００２６】
吸収性物品１は、トップシート１０、バックシート２０及び吸収体３０を有する。トップシート１０は、吸収体３０よりも肌対向面側Ｔ１に設けられる。バックシート２０は、吸収体３０よりも非肌対向面側Ｔ２に設けられる。吸収体３０は、トップシート１０とバックシート２０との間に設けられる。
【００２７】
吸収体３０は、少なくとも股下域Ｓ１と後側域Ｓ３に配置されている。吸収体３０は、液体を吸収する吸収材料からなる吸収コア（図示せず）と、吸収コアを包むコアラップ（図示せず）と、を有する。吸収体３０は、第１層３１と、厚さ方向Ｔにおいて第１層３１に重なる第２層３２と、を有する。第１層３１は、第２層３２の肌対向面側Ｔ１に配置されている。第１層３１の吸収材料の目付は、第２層３２の吸収材料の目付よりも高い。第１層３１の幅方向Ｗの長さは、第２層３２の幅方向Ｗの長さよりも短い。
【００２８】
トップシート１０は、体液等の液体を透過する液透過性のシートである。トップシート１０は、吸収体３０の肌対向面側Ｔ１を覆う。トップシート１０は、幅方向の両側において、折り返し線１２によって折り返された折り返し部１１を有する。折り返し部１１の構成については、後述にて詳細に説明する。
【００２９】
バックシート２０は、メインシート２１と、サイドシート２２と、を有する。メインシート２１は、吸収性物品の全域に配置されており、厚さ方向の最も非肌対向面側に設けられている。サイドシート２２は、吸収性物品の外側縁から幅方向の内側に向かう一定の領域に設けられている。サイドシート２２は、厚さ方向Ｔにおいてトップシート１０の折り返し部１１とメインシート２１の間に配置されている。メインシート２１とサイドシート２２は、図示しない接合手段によって接合されている。なお、図２及び図４においては、バックシート２０と吸収体３０が厚さ方向に離間している状態で示しているが、本実施の形態のバックシート２０と吸収体３０は、図示しない接合手段によって接合されている。
【００３０】
図２に示すように、メインシート２１の非肌対向面には、吸収性物品１を下着に接合するための粘着部８０が設けられている。粘着部８０は、吸収体３０と重なる領域に配置された一対の本体粘着部８１と、ウイング３に配置された一対のウイング粘着部８２と、ヒップフラップ４に配置された一対のフラップ接合部（図示せず）と、を有する。粘着部８０は、使用前の状態において、吸収性物品を個別に包装する包装シート７０によって覆われている。
【００３１】
（２）吸収性物品の折り畳み態様
吸収性物品１は、包装シート７０によって個別に包装されるように構成されている。図３は、吸収性物品１の折り畳み態様を説明するための図である。吸収性物品１は、折り畳まれる際に、吸収性物品１の非肌対向面と包装シート７０が対向するように包装シート７０上に配置されている。吸収性物品１が包装シート７０上に配置された状態で、吸収性物品１の一方の外側縁と包装シート７０の一方の外側縁が、長手方向Ｌに沿った第１折り線ＦＬ１を基点に内側に折り返される（図３（ａ）参照）。吸収性物品が展開した展開状態（折り畳まれる前の状態）で第１折り線ＦＬ１を挟んで配置される領域（第１折り線ＦＬ１の両側の領域）は、折り畳まれた折り畳み状態で肌対向面同士が対向している。なお、肌対向面同士が対向している状態は、一方の肌対向面と他方の肌対向面とが向き合っている状態であり、一方の肌対向面と他方の肌対向面との間に他の部材が配置されている状態も含む概念である。
【００３２】
次いで、吸収性物品１の他方の外側縁と包装シート７０の他方の外側縁が、長手方向Ｌに沿った第２折り線ＦＬ２を基点に内側に折り返される（図３（ｂ）参照）。吸収性物品１が展開した展開状態（折り畳まれる前の状態）で第２折り線ＦＬ２を挟んで配置される領域（第２折り線ＦＬ２の両側の領域）は、折り畳まれた折り畳み状態で肌対向面同士が対向している。第１折り線ＦＬ１及び第２折り線ＦＬ２は、吸収性物品の肌対向面同士が対向するように吸収性物品を折り畳むための折り線である。
【００３３】
次いで、第１折り線ＦＬ１及び第２折り線ＦＬ２によって折り畳まれた状態において、吸収性物品１の後端縁及び包装シート７０の後端縁が、幅方向Ｗに沿った第３折り線ＦＬ３を基点に内側に折り返される。次いで、吸収性物品１の前端縁及び包装シート７０の前端縁が、幅方向Ｗに沿った第４折り線ＦＬ４を基点に内側に折り返される（図３（ｃ）参照）。このように折り畳まれることにより、吸収性物品１は、折り畳まれて小型化される。
【００３４】
このように折り畳まれた吸収性物品１を展開した展開状態において、吸収性物品１には、第１折り線ＦＬ１、第２折り線ＦＬ２、第３折り線ＦＬ３、及び第４折り線ＦＬ４による折り癖が形成されている。第１折り線ＦＬ１による折り癖及び第２折り線ＦＬ２による折り癖は、着用者に対して離れる折り癖となる。第１折り線ＦＬ１及び第２折り線ＦＬ２は、谷折りの折り線である。よって、展開状態において第１折り線ＦＬ１及び第２折り線ＦＬ２よりも幅方向の外側の領域は、第１折り線ＦＬ１及び第２折り線ＦＬ２を基点に起立している（図２参照）。
【００３５】
また、第１折り線ＦＬ１及び第２折り線ＦＬ２は、吸収体３０の外側縁よりも幅方向の内側に位置する。より詳細には、第１折り線ＦＬ１及び第２折り線ＦＬ２は、第２層の外側縁よりも幅方向の内側、かつ第１層の外側縁よりも幅方向の外側に位置する。第１折り線ＦＬ１及び第２折り線ＦＬ２は、第２層３２に形成され、第１層３１に形成されていない。
【００３６】
（３）トップシートの折り返し部の詳細構成
次いで、トップシート１０の折り返し部１１について詳細に説明する。折り返し部１１は、トップシート１０が折り返し線１２にて非肌対向面側に向かって折り返されることによって形成されている。トップシート１０は、折り返し部１１と折り返し線１２間において幅方向に延びる（折り返されていない）部分と、が厚さ方向Ｔにおいて積層されている。トップシート１０は、折り返し部１１が設けられた領域において２層に重ねられている。折り返し部１１は、折り返し線１２から折り返し部１１の先端１１Ｅまでの部分である。折り返し部１１の先端１１Ｅは、厚さ方向Ｔにおいて吸収体３０とバックシート２０の間に位置している。
【００３７】
折り返し部１１は、厚さ方向においてバックシート２０と対向して配置されている。吸収性物品１は、折り返し部１１とバックシート２０とが接合された接合部と、折り返し部１１とバックシート２０とが接合されていない非接合部６５と、を有する。接合部は、少なくとも股下域Ｓ１に配置される第１接合部６１と、第１接合部６１よりも前側に位置する第２接合部６２と、及び第１接合部６１よりも後側に位置する第３接合部６３と、を有する。第１接合部６１は、股下域Ｓ１の長手方向Ｌ全域と、前側域Ｓ２の一部と、後側域Ｓ３の一部と、に跨がって配置されている。第２接合部６２は、前側域Ｓ２に位置する。第３接合部６３は、後側域Ｓ３に位置する。非接合部６５は、幅方向における接合部と折り返し線の間、及び幅方向における接合部と折り返し部１１の先端１１Ｅとの間に位置する。
【００３８】
第１接合部６１は、第１折り線ＦＬ１及び第２折り線ＦＬ２よりも幅方向Ｗの内側に位置する。すなわち、接合部は、股下域Ｓ１において、第１折り線ＦＬ１及び第２折り線ＦＬ２よりも幅方向の内側に位置し、第１折り線ＦＬ１及び第２折り線ＦＬ２よりも幅方向Ｗの外側に位置していない。第１折り線ＦＬ１及び第２折り線ＦＬ２よりも幅方向Ｗの外側の領域は、トップシート１０がバックシート２０から起立可能に構成されている。第１折り線ＦＬ１及び第２折り線ＦＬ２よりも幅方向Ｗの外側に位置するトップシート１０の折り返し部１１が第１折り線ＦＬ１及び第２折り線ＦＬ２を基点として起立することにより、体液の横漏れを抑制できる。
【００３９】
第１接合部６１は、第２接合部６２及び第３接合部６３よりも幅方向Ｗの内側に位置する。第１接合部６１は、折り返し線１２よりも幅方向の内側に位置している。第１接合部６１が折り返し線１２よりも幅方向の内側において折り返し線と離間して配置されている。股下域Ｓ１において、折り返し線１２から幅方向の内側に延びる一定の領域には、非接合部６５が位置する。折り返し線１２と接合部の間の領域は、非接合部６５が位置し、折り返し部１１とバックシート２０とが接合されていない。そのため、折り返し線１２と第１接合部６１の間の領域は、第１折り線ＦＬ１及び第２折り線ＦＬ２による折り癖によって着用者側に立ち上がる。トップシート１０の折り返し部１１が着用者側に起立するため、トップシート１０の幅方向の中央に排出された体液が横漏れすることを抑制できる。
【００４０】
なお、変形例に係る構成において、第１接合部６１は、第１折り線ＦＬ１及び第２折り線ＦＬ２よりも幅方向の外側に位置してもよい。変形例においては、第１接合部６１は、第１折り線ＦＬ１と折り返し線１２との中間点よりも幅方向の外側に配置されていることが好ましい。折り返し線１２から幅方向に延びる一定の領域において、折り返し部１１がバックシートに対して起立可能となり、横漏れを抑制することができるためである。
【００４１】
また、第１折り線ＦＬ１及び第２折り線ＦＬ２は、吸収体３０の外側縁よりも幅方向Ｗの内側に位置しており、吸収体３０に形成されている。吸収体３０に折り癖が形成されていない構成と比較して、折り癖が強くなり、トップシート１０の折り返し部１１が立ち上がり易くなる。また、第１折り線ＦＬ１及び第２折り線ＦＬ２が形成された部分の剛性が高くなる。トップシート１０の折り返し部１１は、第１折り線ＦＬ１及び第２折り線ＦＬ２を変形基点として立ち上がる。立ち上がる基点の剛性が高くなるため、トップシート１０の折り返し部１１の起立性をより維持し易くなり、体液の横漏れを抑制できる。
【００４２】
また、第１折り線ＦＬ１及び第２折り線ＦＬ２は、第２層３２に形成され、第１層３１に形成されていない。よって、第２層３２の外側縁は、第１折り線ＦＬ１及び第２折り線ＦＬ２を基点に起立可能となる。第１折り線ＦＬ１及び第２折り線ＦＬ２による折り癖は、第２層３２に形成され、目付が高い第１層３１に形成されない。第１層３１及び第２層３２の両方に折り癖が形成される構成と比較して、折り癖によって吸収体が立ち上がり易くなり、トップシート１０の外側縁の起立性を維持できる。よって、トップシート１０の折り返し部１１による横漏れの抑制効果を得ることができる。
【００４３】
（４）吸収性物品の装着態様
次いで、このように構成された吸収性物品１の下着への装着態様について説明する。吸収性物品１を下着Ｓに装着する際は、まず、吸収性物品１の幅方向Ｗの中央に位置する本体粘着部８１を下着Ｓに固定する。本体粘着部８１を介して吸収性物品の幅方向の中央の領域を下着に固定した状態で、ウイング３を下着の非肌対向面側Ｔ２に引っ張って、当該ウイング粘着部８２を下着の非肌対向面に固定する。図４は、下着Ｓに装着した装着状態の吸収性物品の断面図である。
【００４４】
装着時にウイングが下着の非肌対向面側に引っ張られると、ウイングのみならず、ウイング３の幅方向の内側に位置する第１接合部６１が引っ張れるとともに、第１接合部６１を介してトップシート１０の折り返し部１１も引っ張られる。このとき、トップシート１０の折り返し線１２と第１接合部６１の間の領域は、バックシート２０に接合されていない。そのため、ウイング３が非肌対向面側Ｔ２に引っ張られた際に、折り返し線１２近傍がウイング３と共に非肌対向面側に引っ張られず、折り返し線１２近傍の起立性が維持される。よって、トップシート１０の折り返し部１１の起立性を維持し、体液の横漏れを抑制できる。
【００４５】
また、第２接合部６２及び第３接合部６３は、第１折り線ＦＬ１及び第２折り線ＦＬ２よりも幅方向Ｗの外側に位置する。前側域Ｓ２の少なくとも一部及び後側域Ｓ３の少なくとも一部において、第１折り線ＦＬ１及び第２折り線ＦＬ２よりも幅方向の外側に接合部が設けられている。
【００４６】
下着の非肌対向面側にウイング３が引っ張られた際に、第１折り線ＦＬ１及び第２折り線ＦＬ２よりも幅方向の外側の領域は、第１折り線ＦＬ１及び第２折り線ＦＬ２を基点として変形し易く、ウイングに配置されたバックシート２０を介して非肌対向面側Ｔ２に引っ張られ易い。股下域Ｓ１においては、第１接合部６１が第１折り線ＦＬ１及び第２折り線ＦＬ２よりも幅方向Ｗの内側に位置している。そのため、第１折り線ＦＬ１及び第２折り線ＦＬ２よりも幅方向Ｗの外側に位置する折り返し部１１は、バックシート２０と離間しており、装着時に非肌対向面側に引っ張られず、起立した状態を維持し易い。一方、前側域Ｓ２及び後側域Ｓ３においては、第２接合部６２及び第３接合部６３が第１折り線ＦＬ１及び第２折り線ＦＬ２よりも幅方向Ｗの外側に位置し、第１折り線ＦＬ１及び第２折り線ＦＬ２よりも幅方向Ｗの外側に位置する折り返し部１１は、装着時に非肌対向面側Ｔ２に引っ張られ、起立した状態を維持せずに、倒れた状態に変形する。よって、使用者は、装着状態の平面視において前側域Ｓ２及び後側域Ｓ３のトップシート１０の幅方向Ｗの長さが股下域Ｓ１のトップシート１０の幅方向Ｗの長さよりも長くなる。前側域Ｓ２及び後側域Ｓ３においてトップシート１０によって広い領域で体液を吸収でき、体液の横漏れを抑制できる。
【００４７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００４８】
１        ：吸収性物品
１０      ：トップシート
１１      ：折り返し部
１２      ：折り返し線
２０      ：バックシート
２１      ：メインシート
２２      ：サイドシート
３０      ：吸収体
３１      ：第１層
３２      ：第２層
６１      ：第１接合部
６２      ：第２接合部
６３      ：第３接合部
８１      ：本体粘着部
８２      ：ウイング粘着部
Ｌ        ：長手方向
Ｗ        ：幅方向
Ｔ        ：厚さ方向
Ｓ１      ：股下域
Ｓ２      ：前側域
Ｓ３      ：後側域
【図１】
2018000301.tif 000003
【図２】
2018000301.tif 000004
【図３】
2018000301.tif 000005
【図４】
2018000301.tif 000006
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
長手方向、幅方向及び厚さ方向と、
吸収体と、
前記吸収体の肌対向面側に配置されたトップシートと、
前記吸収体の非肌対向面側に配置されたバックシートと、
前記長手方向における股下域に設けられたウイングと、を有し、
吸収性物品の肌対向面同士が対向するように吸収性物品を折り畳むための第１折り線及び第２折り線が前記長手方向に沿って形成された吸収性物品であって、
前記トップシートは、前記幅方向の両側において、折り返し線によって折り返された折り返し部を有し、
前記股下域において、前記第１折り線及び前記第２折り線は、前記折り返し線よりも前記幅方向の内側に位置し、
前記折り返し部と前記バックシートとが接合された接合部を有し、
前記股下域における前記接合部は、前記第１折り線及び前記第２折り線よりも前記幅方向の内側に位置し、
前記股下域における前記第１折り線と重なる領域、前記第１折り線から前記折り返し線に延びる領域、前記第２折り線と重なる領域、及び第２折り線から前記折り返し線に延びる領域には、前記折り返し部と前記バックシートとが接合されていない非接合部が設けられている、吸収性物品。
【請求項２】
前記接合部は、前記股下域に設けられた第１接合部と、前記股下域よりも前側に位置する前側域に設けられた第２接合部と、前記股下域よりも後側に位置する後側域に設けられた第３接合部と、を有し、
前記第１接合部は、前記第１折り線及び前記第２折り線よりも前記幅方向の内側に位置し、
前記第２接合部及び前記第３接合部は、前記第１接合部よりも幅方向外側、かつ前記第１折り線及び前記第２折り線よりも前記幅方向の外側に位置する、請求項１に記載の吸収性物品。
【請求項３】
前記第１折り線及び前記第２折り線は、前記吸収体の外側縁よりも前記幅方向の内側に位置する、請求項１又は請求項２に記載の吸収性物品。
【請求項４】
前記吸収体は、第１層と、前記厚さ方向において前記第１層に重なり、かつ前記第１層よりも目付の低い第２層と、を有し、
前記第１折り線及び前記第２折り線は、前記第１層及び前記第２層のうち前記第２層のみに形成されている、請求項３に記載の吸収性物品。